(57)【要約】      （修正有）【課題】基本地図上に各種の文字情報を記載した透明シートを重ねても、各種の文字情報を認識しやすく、容易に透明シートを基本地図上に正確に重ねることができ、複数の透明シートを容易に差し替え可能な地図を提供する。【解決手段】特定領域が図示された基本地図１２と、基本地図上に重ねて配置され、特定領域の中の個別地域に関する様々な文字情報が記載された複数の透明シート１３ａと、透明シートに記載された文字情報を被覆しうる遮蔽シート１４とを備えた地図であって、基本地図に図示された特定領域の個別地域と透明シートに記載された個別地域に関する文字情報とが相互に対応するように基本地図上に透明シートを着脱可能に固定しうる固定部１６を有し、透明シートに記載された文字情報は、基本地図に重ねて配置された場合に、基本地図の特定領域の輪郭線から特定領域外方へ延びる引き出し線部と、引き出し線部の先端部に記載されている文字情報とからなる。【選択図】図１
0003185321.tif 000002
【実用新案登録請求の範囲】
【請求項１】
特定領域が図示されると共に文字情報が記載されていない基本地図と、上記基本地図上に重ねて配置され、上記特定領域の中の個別地域に関する様々な文字情報が記載された複数の透明シートと、上記透明シートに記載された文字情報を被覆しうる遮蔽シートとを備えた地図であって、
上記基本地図に図示された上記特定領域の個別地域と上記透明シートに記載された個別地域に関する上記文字情報とが相互に対応するように上記基本地図上に上記透明シートを配置しうる基本地図及び透明シートを着脱可能に固定しうる固定部を有し、上記透明シートに記載された文字情報は、上記基本地図に重ねて配置された場合に、上記基本地図の特定領域の輪郭線から上記特定領域外方へ延びる引き出し線部と、上記引き出し線部の先端部に記載されている名称部とからなることを特徴とする地図。
【請求項２】
上記遮蔽シートは、上記文字情報を被覆すると共に上記基本地図の特定領域及び上記引き出し線は露出するように構成されていると共に４分割形成され、分割形成された各部位毎に透明シートの文字情報を遮蔽及び開放することができることを特徴とする請求項１記載の地図。
【請求項３】
上記固定部は、基本地図、透明シート及び遮蔽シートの端部を貫通する一対の係止凸部と、上記係止凸部に係合する係合部とを有することを特徴とする請求項１記載の地図。
【請求項４】
上記基本地図、透明シート及び遮蔽シートは縦長長方形状に形成され、上記固定部は上記基本地図、透明シート及び遮蔽シートの短辺部において基本地図、透明シート及び遮蔽シートを固定することを特徴とする請求項１記載の地図。
【請求項５】
上記遮蔽シートは特定の色彩が付されていると共に、上記基本地図、透明シート及び遮蔽シートには上記係止凸部が貫通する穴部が開設され、上記穴部にはシート端縁部に至るスリットが形成されていることを特徴とする請求項３記載の地図。
【請求項６】
上記基本地図、透明シート及び遮蔽シートが重ねて固定配置されうる地図部と、上記地図部の端部に接合され、見開き状に配設されたシート収納部とを有することを特徴とする請求項１記載の地図。
【請求項７】
学習地図であることを特徴とする請求項１記載の地図。
【考案の詳細な説明】
【技術分野】
【０００１】
本考案は、基本地図に、基本地図に描かれた地形図等に関連する各種文字情報が記載された透明シートを重ね合わせることにより、基本地図に描かれた地形図と透明シートに記載された文字情報との関係を理解することができる地図の改良に関する。
【背景技術】
【０００２】
従来より、基本地図と、基本地図に描かれた地形図等に関連する各文字情報が記載された透明シートとを備えた地図が使用されている。
【０００３】
このような地図として、例えば、地形図の輪郭を印刷した基板に、夫々の主題別に印刷された透明シートを重ね合わせて、一箇所で回動可能に綴じることで、地形図と地形図に対応した各テーマの文字情報の相関関係を比較することができる地図が存在する（特許文献１）。
【０００４】
しかしながら、このような従来の地図にあっては、透明フィルムは基本地図に相当する基板に対して一箇所で回動可能に固定され、使用時には、透明フィルムを基板に対して正確に重ね合わせる必要があったことから、使用に際して透明フィルムを正確に基本地図に重ね合わせることが煩雑であった。
【０００５】
また、上記地図にあっては、透明シートに記載された文字や図形からなる各種の文字情報は基本地図上に重ねあわされて表示されるように構成されており、基本地図上に各種の多数の文字情報が集中して表示されることから、使用者が見にくい場合がある、という不具合があった。
【０００６】
また、道路、建物、地番などの基本的な事項を記載した基本地図と、透明又は半透明のフイルムに目的の文字情報を表示した目的別地図をリング状のバインダーで綴じて重ね合わせるように構成された重ね地図が存在する（特許文献２）。
【０００７】
しかしながら、このような従来の地図にあっては、基本地図及び目的別地図が多数の綴じ部を有するリング状のバインダーによって複数箇所に綴じられているため、例えば、前記目的別地図の文字情報に変更があり、文字情報の更新をするために前記目的別地図の差し替えが必要になった場合、バインダーによって複数箇所に綴じられている目的別地図を取り外すことが煩雑である、という不具合があった。
【０００８】
また、各種の文字情報が記載された地図であって、当該地図上に着色されたマスキングシートを載せることにより、必要な文字情報のみを視認できるように構成した地図が存在する（特許文献３）。
しかしながら、このような地図に合っては、マスキングシートは基本となる地図全体を被覆してしまうことから、地図そのものが見にくい、という不具合があった。  
【特許文献１】実用新案出願公開平２−５８２７５号公報
【特許文献２】実用新案出願公開平２−１０２５７７号公報
【特許文献３】特開平８−６３０９６号
【考案の開示】
【考案が解決しようとする課題】
【０００９】
そこで、本考案の課題は、基本地図上に各種の文字情報が記載された透明シートを重ねて配置した場合であっても、各種の文字情報を認識しやすく、また、容易に透明シートを基本地図上に正確に重ねあわせることができ、複数の透明シートを容易に差し替えることができる地図を提供することにある。
【課題を解決するための手段】
【００１０】
上記課題達成のため、請求項１記載の考案にあっては、特定領域が図示されると共に文字情報が記載されていない基本地図と、上記基本地図上に重ねて配置され、上記特定領域の中の個別地域に関する様々な文字情報が記載された複数の透明シートと、上記透明シートに記載された文字情報を被覆しうる遮蔽シートとを備えた地図であって、上記基本地図に図示された上記特定領域の個別地域と上記透明シートに記載された個別地域に関する文字情報とが相互に対応するように上記基本地図上に上記透明シートを配置しうる基本地図及び透明シートを着脱可能に固定しうる固定部を有し、上記透明シートに記載された文字情報は、上記基本地図に重ねて配置された場合に、上記基本地図の特定領域の輪郭線から上記特定領域外方へ延びる引き出し線部と、上記引き出し線部の先端部に記載されている名称部とからなることを特徴とする。
【００１１】
上記「特定領域」とは、例えば日本国等の国を示し、「個別地域」とは、例えば、日本国内の各地域である。
従って、請求項１記載の考案にあっては、上記透明シートに記載された文字情報は、上記基本地図の特定領域に重ねて配置された場合に、上記基本地図の特定領域の輪郭線から上記特定領域外方へ延びる引き出し線部と、上記引き出し線部の先端部に記載されている文字情報とからなることから、文字情報は引き出し線を介して基本地図外方に位置することから、文字情報を特定領域外部で視認することができる。
【００１２】
請求項２記載の考案にあっては、上記遮蔽シートは、上記文字情報を被覆すると共に上記基本地図の特定領域及び上記引き出し線は露出するように構成されていると共に４分割形成され、分割形成された各部位毎に透明シートの文字情報を遮蔽及び開放することができることを特徴とする。
【００１３】
従って、請求項２記載の考案にあっては、遮蔽シートを基本地図上に配置した場合であっても、上記特定領域は遮蔽シートによっては被覆されない。
請求項３記載の考案にあっては、上記固定部は、基本地図及び遮蔽シートの端部を貫通する一対の係止凸部と、上記係止凸部に係合する係合部とを有することを特徴とする。
【００１４】
従って、請求項３記載の考案にあっては、基本地図及び遮蔽シートは２箇所で着脱可能に固定される。
請求項４記載の考案にあっては、上記基本地図及び遮蔽シートは縦長長方形状に形成され、上記固定部は上記基本地図及び遮蔽シートの短辺部において基本地図及び遮蔽シートを固定することを特徴とする。
【００１５】
請求項５記載の考案にあっては、上記遮蔽シートは特定の色彩が付されていると共に、上記基本地図、透明シート及び遮蔽シートには上記係止凸部が貫通する穴部が開設され、上記穴部にはシート端縁部に至るスリットが形成されていることを特徴とる。
請求項６記載の考案にあっては、上記基本地図、透明シート及び遮蔽シートが重ねて固定配置された地図部と、上記地図部の端部に接合され、見開き状に配設されたシート収納部とを有することを特徴とする。
請求項７記載の考案にあっては、学習地図であることを特徴とする。
【考案の効果】
【００１６】
請求項１記載の考案にあっては、上記透明シートに記載された文字情報は、上記基本地図の特定領域に重ねて配置された場合に、上記基本地図の特定領域の輪郭線から上記特定領域外方へ延びる引き出し線部と、上記引き出し線部の先端部に記載されている文字情報とからなることから、文字情報は引き出し線を介して基本地図外方に位置し、文字情報を特定領域外部で視認することができることから、従来とは異なり、使用者は様々な文字情報をよりクリアに認識することができる。
【００１７】
請求項２記載の考案にあっては、遮蔽シートを基本地図上に配置した場合であっても、上記特定領域は遮蔽シートによっては被覆されず、文字情報が被覆されるように構成されていることから、従来のように、基本となる地形が記載された基本地図そのものが見にくい、という事態はない。また、本考案にあっては、遮蔽シートを透明シート上に重ねた状態で、基本地図及び重ねられた透明シートの引き出し線のみを見ながら、テーマごとに文字情報を推測することもでき、児童等を対象とした学習効果のある地図を提供することができる。
また、遮蔽シートが４分割され、分割形成された各部位毎に遮蔽又は開放することができることから、部分的に文字情報を確認する場合に遮蔽シート全体をめくって開放することにより、文字情報を確認する必要がなく、使用しやすい地図を提供することができる。
【００１８】
請求項３記載の考案にあっては、基本地図、透明シート及び遮蔽シートを貫通する一対の係止凸部と、上記係止凸部に係合する係合部とにより構成され、２箇所で着脱可能に固定されることから、従来のように、１箇所のみで固定する場合とは異なり、容易に基本地図と、透明シート及び遮蔽シートを正確に重ね合わせることができるため、使用に際し、煩雑さを回避することができる。
【００１９】
また、着脱可能に構成されていることから、複数の透明シートを、テーマごとに準備し、容易に取り外し及び取付ができ、様々なテーマごとに有効に利用することができる。
請求項５記載の考案にあっては、基本地図、透明シート及び遮蔽シートに設けられた係止用の穴部には、シート端縁部に至るスリットが形成されていることから、基本地図、透明シート及び遮蔽シートを係止凸部に係止される場合には、地図又はシートの端縁部からスリットを介して穴部に係止させることができ、係止凸部に穴部を挿通させる必要がないことから、容易に基本地図、各シートを固定することができる。
【００２０】
請求項６記載の考案にあっては、上記基本地図、透明シート及び遮蔽シートが重ねて固定配置された地図部と、上記地図部の端部と接合され、見開き状に配設されたシート収納部とを有することから、複数の、別個の文字情報が記載された透明シートを収納することができるため、携帯性に富む、使用しやすい地図を提供することができる。
【００２１】
請求項７記載の考案にあっては、特定の色彩が付されている遮蔽シートを使用する、学習効果に富んだ学習地図を提供することができる。
【図面の簡単な説明】
【００２２】
【図１】本考案に係る地図の基本の実施の形態を示す斜視図であって、日本国が描かれた基本地図上に、火山の名称が記載された透明シート及び遮蔽シートを重ね、基本地図、透明シート及び遮蔽シートを固定部により綴じる状態を示す分解斜視図である。
【図２】本考案に係る地図の一実施の形態を示す平面図であって、文字情報として日本国における火山の名称が記載された透明シートを示す図である。
【図３】本考案に係る地図の一実施の形態を示す平面図であって、文字情報として日本国における火山の名称が記載された透明シートを日本国が描かれた基本地図上に載置した状態を示す図である。
【図４】本考案に係る地図の一実施の形態を示す平面図であって、日本国が描かれた基本地図上に、火山の名称が記載された透明シート及び遮蔽シートを重ねた状態を示す図である。
【図５】本考案に係る地図の他の実施の形態を示す平面図であって、文字情報としての日本国における川の名称が記載された透明シートを示す平面図である。
【図６】本考案に係る地図の他の実施の形態を示す平面図であって、文字情報としての日本国における海峡と湾の名称が記載された透明シートを示す図である。
【図７】本考案に係る地図の他の実施の形態を示す平面図であって、見開き状のファイル形式に形成した地図を示す平面図である。
【図８】本考案に係る地図の他の実施の形態を示す平面図であって、見開き状のファイル形式に形成した地図の地図部を示す平面図であり、固定部を構成するホックを外した状態を示す平面図である。
【図９】本考案に係る地図の他の実施の形態を示す平面図であって、４分割された遮蔽用シートの一片部をめくった状態を示す平面図である。
【考案を実施するための最良の形態】
【００２３】
以下、添付図面に示す実施の形態に基づき本考案に係る地図を詳細に説明する。
図１は本実施の形態に係る地図の基本の実施の形態を示す。本実施の形態に係る地図１０は、特定領域としての日本国の地図１１が図示された基本地図１２と、上記基本地図１２上に重ねて配置され、上記特定領域としての日本国の地図１１の中の各地域に関する様々な文字情報が記載された透明シート１３と、上記透明シート１３に記載された文字情報を被覆しうる遮蔽シート１４とを備えている。
【００２４】
本実施の形態に係る地図１０は、上記基本地図１２に図示された上記日本国の地図１１の各地方と上記透明シート１３に記載された各地方に関する文字情報とが地理的に対応するように上記基本地図１２上に上記透明シート１３を配置しうる基本地図１２及び透明シート１３を着脱可能に固定しうる固定部１６を有している。
【００２５】
固定部１６は、小型の２穴バインダーとして構成されており、基本地図１２、透明シート１３及び遮蔽シートの短辺部２０に形成された２つの穴部２１、２１を貫通する一対の棒状の係止凸部２２、２２と、上記係止凸部２２、２２に係合する係合部２３、２３とを有している。
【００２６】
上記一対の係止凸部２２、２２は細長基板２６上に所定間隔をおいて立設されていると共に、上記係合部２３、２３は係止凸部２２、２２の先端部に係合しうるホックとして形成され、上記細長基板２６に回動可能に連設されたフラップ部１５に設けられている。
【００２７】
本実施の形態にあっては、上記基本地図１２、透明シート１３及び遮蔽シート１４は、全体長方形状であってＡ４版の大きさに形成され、いずれも、合成樹脂製のシートとして形成されている。
上記のように基本地図１２、透明シート１３及び遮蔽シート１４の短辺部２０には同一の位置に、上記一対の係止凸部２２、２２が挿通しうるように２つの穴部２１、２１が開設されており、穴部２１、２１には、各シート端縁部に至るスリット２７が形成されている。
【００２８】
図２及び図３に示すように、上記透明シート１３に記載された文字情報は、上記基本地図１２に記載された日本国の地図１１に重ねて配置された場合に、日本国の地図１１の輪郭線１８から外方へ延びる引き出し線部２４と、上記引き出し線部２４の先端部に記載されている名称部１７とからなる。
【００２９】
図３〜図５に示すように、名称部１７は、各透明シート１３ａ、１３ｂ、１３ｃ毎に、「火山」、「川」、「海峡と湾」等の各種のテーマ別に記載され、例えば、図３〜図５に示す実施の形態にあっては、日本国内に存在する代表的な火山の名称、海峡と湾、及び川の名称が黒いインクにより記載されている。
透明シート１３に記載された各種の文字情報は、透明シート１３が固定部１６に固定されて基本地図１２上に重ねあわされた場合には、基本地図１２に描かれた日本国の地図１１上において、日本国内の各地域に対応して正確かつ適切な夫々の位置に配置されるように記載されている。
【００３０】
図１及び図６に示すように、上記遮蔽シート１４は、名称部１７を視認できないように被覆すると共に上記基本地図１２上の日本国及び上記引き出し線部２４は一部露出するように中央に日本国の地図１１の輪郭に大まかに沿った形状の孔部１９が形成され、本実施の形態にあっては、名称部１７の上記各種の文字情報の黒いインクの文字を隠せるように紫色に着色されている。
また、図１及び図６に示すように、遮蔽シート１４には、全体略Ｈ字状の切れ目４２が設けられている。この切れ目４２は、各端縁部から所定寸法内方に設けられ、長さ方向に沿って互いに平行に等間隔を置いて３本の縦方向切れ目部４２ａと、これら３本の切れ目部の中間部において幅方向に沿って横断的に設けられた横方向切れ目部４２ｂとにより構成されている。
これらの縦方向切れ目部４２ａ及び横方向切れ目部４２ｂとにより、４枚の構成片１４ａ、１４ｂ、１４ｃ、１４ｄが形成されており、各構成片１４ａ、１４ｂ、１４ｃ、１４ｄ毎にめくれるように構成されている。
【００３１】
以下、本実施の形態に係る地図の使用方法について説明する。
本実施の形態に係る地図１０を使用する場合には、図１に示すように、まず、基本地図１２を、スリット２７および穴部２１、２１を介して固定部１６の係止凸部２２に挿通させて固定する。その後、適宜の透明シート、例えば、図２に示すように、日本国の「火山」に関する文字情報が記載された透明シート１３ａを、同様にスリット２７及び穴部２１、２１を介して係止凸部２２、２２に挿通させて、基本地図１２の上に重ねる。
【００３２】
この場合、図３に示すように、基本地図１２に描かれた特定領域である日本国の地図１１において透明シート１３ａに記載された各火山を示す引き出し線部２４は、日本国の地図１１の輪郭線１８から外方へ延び、引き出し線部２４の先端部に記載されている名称部１７は輪郭線１８の外方に配置されている。従って、この状態で、日本国の地図１１上において、日本の有名な火山に関する文字情報を確認することができる。
【００３３】
さらに、本実施の形態に係る地図を学習教材として使用する場合には、図１に示すように、上記遮蔽シート１４を上記固定部１６に固定させた状態で、透明シート１４上に乗せる。この場合、図６に示すように、遮蔽シート１４により名称部１７の全て及び引き出し線部２４の半分程度は被覆され見えなくなる。
【００３４】
従って、例えば、学習教材として使用する場合には、引き出し線部２４に対応する名称部１７を生徒や児童に質問して答えさせることにより、日本国内における火山の名称の学習をさせることができる。この場合、正解を確認したい場合には、遮蔽シート１４をめくることにより透明シート１３上で正解を容易に確認することができる。
この場合、遮蔽シート１４は、各構成片１４ａ。１４ｂ、１４ｃ、１４ｄ毎に部分的にめくることができる。即ち、横方向切れ目部４２ｂに沿って、各構成片１４ａ、１４ｂ、１４ｃ、１４ｄを先端部側からめくる。
この場合、切れ目４２は各端縁部から内方に設けられていることから、各構成片１４ａ、１４ｂ、１４ｃ、１４ｄは各端縁部との間に間隔を保持したままめくることができる。
【００３５】
同様に、各種の透明シート、例えば、図５に示す「川」１３ｂ、図６に示す「海峡と湾」１３ｃ等を同様に使用することにより、本実施の形態に係る地図を利用して、日本国に関する地理的な文字情報の確認及び学習が可能となる。さらに、「工業地帯」等の文字情報が記載された透明シートを使用することにより、社会的な文字情報の確認、学習も可能となる。
【００３６】
本実施の形態にあっては、基本地図には日本国の地図が描かれている場合を例に説明したが、上記実施の形態に限定されず、各国の地図及び関連する文字情報が記載された透明シートを作成して使用することができる。
また、国の地図に限らず、所定の地域に限定した地図を形成することもできる。また、文字情報に関しても、上記実施の形態に限定されず、所望の地域に特化した各種の文字情報を記載した透明シートを作成して利用することができる。
【００３７】
また、図７〜図９は、本考案に係る地図の第二実施形態を示す。なお、上記実施の形態と同一構成要素には同一符合を付して説明を省略する。
本実施の形態に係る地図３０は、全体が、見開き状のファイル状に形成された、合成樹脂製のカバー部材３１により構成されている。
上記カバー部材３１には、基本地図１２、透明シート（図示せず）及び遮蔽シート３２が重ねて固定配置された縦長長方形状に形成された地図部３３と、上記地図部３３の幅方向の端部３４に接合され、見開き状に配設された、縦長長方形状のシート収納部３５とを有している。
【００３８】
図７及び図８に示すように、地図部３３を構成するカバー部材３１の裏表紙部３６の対角線上の端部には、夫々、固定部１６を構成する凸部３７及びホック３８が形成されており、基本地図１２及び透明シート（図示せず）、遮蔽シート３２の対角線上に形成された孔部３９、３９に凸部３７を貫通させると共に、ホック３８を係止させることにより基本地図１２及び透明シート（図示せず）、遮蔽シート３２を裏表紙部３６に固定させることができると共に、ホック３８を凸部３７から外すことにより適宜、基本地図１２及び透明シート（図示せず）、遮蔽シート３２を取り外して交換することができるように構成されている。
【００３９】
一方、シート収納部３５は、表表紙４０側の表面側に、開口部４１を有する所定の厚さ寸法の袋状に形成され、開口部４１を介して、複数枚の透明シート１３、基本地図１２等を収納し、適宜、夫々のテーマの文字情報が記載された異なるシート上に遮蔽シート３２を載置して文字情報（図示せず）を被覆することにより、学習、その他、様々な多数の用途に便利に使用することができる。
【００４０】
さらに、図９に示すように、本実施の形態に係る地図３０にあっても上記実施の形態と同様に、遮蔽シート３２が幅方向及び長さ方向において、全体の約３／４の長さ寸法に、縦方向切れ目部４２ａ及び横方向切れ目部４２ｂからなる切れ目４２が入れられており、その結果、４分割され、各構成片１４ａ、１４ｂ、１４ｃ、１４ｄが形成されている。
従って、本実施の形態にあっては、前記実施の形態と同様に、遮蔽シート３２全体をめくって透明シート上の、川、山、湖、工業地帯等の各名称を確認する必要はなく、４分割された各片部４３のみをめくることにより必要とする文字情報を確認することができるため、使用者は容易に透明シート上の文字情報を確認することができる。
【産業上の利用可能性】
【００４１】
本考案に係る地図は、広く、各国、各地域における文字情報を効率よく確認したい場合や、学習教材として使用する地図に広く適用することができるため、産業上の利用可能性を備えている。
【符号の説明】
【００４２】
１０  地図
１１  日本国
１２  基本地図
１３  透明シート
１３ａ  火山に関する文字情報が記載された透明シート
１３ｂ  川に関する文字情報が記載された透明シート
１３ｃ  海峡及び湾に関する文字情報が記載された透明シート
１４  遮蔽シート
１４ａ、１４ｂ、１４ｃ、１４ｄ  各構成片
１５  フラップ部
１６  固定部
１７  名称部
１８  輪郭線
１９  孔部
２０  短辺部
２１  穴部
２２  係止凸部
２３  係合部
２４  引き出し線部
２５  名称部
２６  細長基板
２７  スリット
３０  地図
３１  カバー部材
３２  遮蔽シート
３３  地図部
３４  端部
３５  シート収納部
３６  裏表紙部
３７  凸部
３８  ホック
４０  表表紙部
４１  開口部
４２  切れ目
【図１】
0003185321.tif 000003
【図２】
0003185321.tif 000004
【図３】
0003185321.tif 000005
【図４】
0003185321.tif 000006
【図５】
0003185321.tif 000007
【図６】
0003185321.tif 000008
【図７】
0003185321.tif 000009
【図８】
0003185321.tif 000010
【図９】
0003185321.tif 000011